(57)【特許請求の範囲】
【請求項１】
自装置が通信端末と予め定められた通信品質よりも高品質な無線ＬＡＮ通信を行うことが可能な第１の通信エリアを算出するとともに、前記通信端末と通信可能な通信可能エリア内に位置し前記通信端末との通信を中継させる中継装置が、前記通信端末と予め定められた前記通信品質よりも高品質な無線ＬＡＮ通信を行うことが可能な第２の通信エリアを算出するエリア算出部と、
前記通信端末の位置情報及び前記中継装置の位置情報を取得する位置情報取得部と、
前記通信端末が、前記第１の通信エリア外であって前記第２の通信エリア内に位置する場合に、前記通信端末との無線ＬＡＮ接続を切断する無線制御部と、を備え、
前記エリア算出部は、
取得した前記中継装置の位置情報に基づいて前記第２の通信エリアを算出する、通信装置。
【請求項２】
前記位置情報取得部は、
前記第１の通信エリア内の通信端末及び中継装置へ送信するビーコンに位置情報の送信を要求する情報を設定する、請求項１に記載の通信装置。
【請求項３】
前記第１及び第２の通信エリアは、
予め定められた電界強度よりも大きい強電界エリアである、請求項１又は２に記載の通信装置。
【請求項４】
前記無線制御部は、
前記通信端末が、前記第１の通信エリア内かつ前記第２の通信エリア内に位置する場合に、前記通信端末との無線ＬＡＮ通信を継続する、請求項１乃至３のいずれか１項に記載の通信装置。
【請求項５】
前記無線制御部は、
前記通信端末との無線ＬＡＮ接続を切断する際に、無線ＬＡＮ接続の切断を要求するメッセージを前記通信端末へ送信する、請求項１乃至４のいずれか１項に記載の通信装置。
【請求項６】
通信端末と、
前記通信端末と無線ＬＡＮ通信を行う通信装置と、
前記通信装置が形成する第１の通信エリア内に位置し、前記通信端末と前記通信装置との間の通信を中継する中継装置と、を備え、
前記通信装置は、
前記通信端末の位置情報及び前記中継装置の位置情報を取得し、前記中継装置の位置情報に基づいて前記中継装置が形成する第２の通信エリアを算出し、前記通信端末が前記第１の通信エリア外であって、前記第２の通信エリア内に位置する場合に、前記通信端末との無線ＬＡＮ接続を切断する、通信システム。
【請求項７】
通信装置が、
通信端末と無線ＬＡＮ通信を行うことが可能な第１の通信エリアを算出し、
前記第１の通信エリア内に位置し前記通信端末との通信を中継させる中継装置の位置情報を取得し、
前記中継装置の位置情報に基づいて、前記中継装置が前記通信端末と無線ＬＡＮ通信を行うことが可能な第２の通信エリアを算出し、
前記通信端末の位置情報を取得し、
前記通信端末が、前記第１の通信エリア外であって前記第２の通信エリア内に位置する場合に、前記通信端末との無線ＬＡＮ接続を切断する通信制御方法。
【請求項８】
通信端末と無線ＬＡＮ通信を行うことが可能な第１の通信エリアを算出し、
前記第１の通信エリア内に位置し前記通信端末との通信を中継させる中継装置の位置情報を取得し、前記中継装置の位置情報に基づいて、前記中継装置が前記通信端末と無線ＬＡＮ通信を行うことが可能な第２の通信エリアを算出し、
前記通信端末の位置情報を取得し、
前記通信端末が、前記第１の通信エリア外であって前記第２の通信エリア内に位置する場合に、前記通信端末との無線ＬＡＮ接続を切断することをコンピュータに実行させるプログラム。
【発明の詳細な説明】
【技術分野】
【０００１】
本発明は通信装置、通信システム、通信制御方法、及びプログラムに関し、特に無線ＬＡＮ通信を行う通信装置、通信システム、通信制御方法、及びプログラムに関する。
【背景技術】
【０００２】
近年、無線ＬＡＮ（Local Area Network）通信エリアを拡大するために、中継装置が用いられている。中継装置は、アクセスポイントと無線子機との間の通信を中継するために用いられる。中継装置は、一般的にアクセスポイントと同一のＳＳＩＤ（Service Set Identifier）を使用する。そのため、無線子機は、中継装置との接続設定を行うことなく、無線状況に応じて、アクセスポイントもしくは中継装置に接続することができる。
【０００３】
特許文献１には、ＰＨＳ（Personal Handy-phone System）端末が、基地局の電波の電界強度が所定の閾値を下回った場合に、自身の通信範囲内にある他のＰＨＳ端末を経由して、基地局と通信を行うことが開示されている。つまり、他のＰＨＳ端末が中継装置として用いられる。具体的には、第１のＰＨＳ端末が、基地局の電波の電界強度が所定の閾値を下回ったことを検出すると、自身の通信範囲内にある複数の他のＰＨＳ端末に関する情報を基地局へ送信する。基地局は、複数の他のＰＨＳ端末の中から、通信を中継していないＰＨＳ端末を、第１のＰＨＳ端末が経由すべきＰＨＳ端末として選択することが開示されている。
【先行技術文献】
【特許文献】
【０００４】
【特許文献１】特開２００９−１５９４０９号公報
【発明の概要】
【発明が解決しようとする課題】
【０００５】
特許文献１においては、ＰＨＳ端末が、基地局の電波の電界強度の低下を検出した後に、接続先の候補となる複数のＰＨＳ端末に関する情報を基地局へ送信する。さらに、基地局は、候補となる複数のＰＨＳ端末の負荷状況に応じて、切り替え先の中継局を決定する。ＰＨＳ端末が、接続先の候補となる複数のＰＨＳ端末を抽出する場合、実際に通信を行うことができるＰＨＳ端末を抽出しなければならない。つまり、ＰＨＳ端末は、基地局の電波の電界強度が低下したか否かを判定し、さらに、電界強度が低下したと判定した場合、実際に通信可能な中継局を抽出する処理を実行しなければならない。そのため、ＰＨＳ端末が、通信先を基地局から他のＰＨＳ端末へ切り替える場合に、切り替えを実行するＰＨＳ端末の処理負荷が増大するという問題がある。また、ＰＨＳ端末以外にも、携帯電話端末等の通信端末においても同様の問題が発生する。
【０００６】
本発明の目的は、通信先を切り替える際に、通信端末における処理負荷の増大を回避することができる通信装置、通信システム、通信制御方法、及びプログラムを提供することにある。
【課題を解決するための手段】
【０００７】
本発明の第１の態様にかかる通信装置は、通信端末と予め定められた通信品質よりも高品質な無線ＬＡＮ通信を行うことが可能な第１の通信エリアを算出するとともに、前記通信端末と通信可能な通信可能エリア内に位置し前記通信端末との通信を中継させる中継装置が、前記通信端末と予め定められた前記通信品質よりも高品質な無線ＬＡＮ通信を行うことが可能な第２の通信エリアを算出するエリア算出部と、前記通信端末の位置情報を取得する位置情報取得部と、前記通信端末が、前記第１の通信エリア外であって前記第２の通信エリア内に位置する場合に、前記通信端末との無線ＬＡＮ接続を切断する無線制御部と、を備えるものである。
【０００８】
本発明の第２の態様にかかる通信システムは、通信端末と、前記通信端末と無線ＬＡＮ通信を行う通信装置と、前記通信装置が形成する第１の通信エリア内に位置し、前記通信端末と前記通信装置との間の通信を中継する中継装置と、を備え、前記通信装置は、前記通信端末の位置情報を取得し、前記通信端末が前記第１の通信エリア外であって、前記中継装置が形成する第２の通信エリア内に位置する場合に、前記通信端末との無線ＬＡＮ接続を切断するものである。
【０００９】
本発明の第３の態様にかかる通信制御方法は、通信端末と無線ＬＡＮ通信を行うことが可能な第１の通信エリアを算出し、前記第１の通信エリア内に位置し前記通信端末との通信を中継させる中継装置が、前記通信端末と無線ＬＡＮ通信を行うことが可能な第２の通信エリアを算出し、前記通信端末の位置情報を取得し、前記通信端末が、前記第１の通信エリア外であって前記第２の通信エリア内に位置する場合に、前記通信端末との無線ＬＡＮ接続を切断するものである。
【００１０】
本発明の第４の態様にかかるプログラムは、通信端末と無線ＬＡＮ通信を行うことが可能な第１の通信エリアを算出し、前記第１の通信エリア内に位置し前記通信端末との通信を中継させる中継装置が、前記通信端末と無線ＬＡＮ通信を行うことが可能な第２の通信エリアを算出し、前記通信端末の位置情報を取得し、前記通信端末が、前記第１の通信エリア外であって前記第２の通信エリア内に位置する場合に、前記通信端末との無線ＬＡＮ接続を切断することをコンピュータに実行させるものである。
【発明の効果】
【００１１】
本発明により、通信先を切り替える際に、通信端末における処理負荷の増大を回避することができる通信装置、通信システム、通信制御方法、及びプログラムを提供することができる。
【図面の簡単な説明】
【００１２】
【図１】実施の形態１にかかる通信システムの構成図である。
【図２】実施の形態２にかかる通信エリアの構成を説明する図である。
【図３】実施の形態２にかかるアクセスポイントの構成図である。
【図４】実施の形態２にかかる中継装置の構成図である。
【図５】実施の形態２にかかるスマートフォンの構成図である。
【図６】実施の形態２にかかる強電界エリア算出処理の流れを示す図である。
【図７】実施の形態２にかかる位置情報の解析処理の流れを示す図である。
【図８】実施の形態２にかかる位置情報の解析処理の流れを示す図である。
【発明を実施するための形態】
【００１３】
（実施の形態１）
以下、図面を参照して本発明の実施の形態について説明する。図１を用いて本発明の実施の形態１にかかる通信システムの構成例について説明する。図１の通信システムは、通信装置１０、中継装置２０、及び通信端末３０を有している。通信装置１０、中継装置２０、及び通信端末３０は、プロセッサがメモリに格納されたプログラムを実行することによって動作するコンピュータ装置であってもよい。
【００１４】
通信装置１０及び中継装置２０は、通信端末３０と無線ＬＡＮ通信を行う。通信端末３０を子機とすると、通信装置１０及び中継装置２０は親機として動作する。また、通信装置１０は、中継装置２０と無線ＬＡＮ通信を行う。通信装置１０を親機とすると、中継装置２０は子機として動作する。
【００１５】
続いて、通信装置１０の構成例について説明する。通信装置１０は、エリア算出部１１、位置情報取得部１２及び無線制御部１３を有している。エリア算出部１１、位置情報取得部１２及び無線制御部１３は、プロセッサがメモリに格納されたプログラムを実行することによって処理が実行されるソフトウェアもしくはモジュール等であってもよい。もしくは、エリア算出部１１、位置情報取得部１２及び無線制御部１３は、回路もしくはチップ等のハードウェアであってもよい。
【００１６】
エリア算出部１１は、通信端末３０と予め定められた通信品質よりも高品質な無線ＬＡＮ通信を行うことが可能な無線ＬＡＮエリア１を算出する。さらに、エリア算出部１１は、通信端末３０と通信可能な通信可能エリア内に位置し、通信端末３０との通信を中継させる中継装置２０が、通信端末３０と予め定められた通信品質よりも高品質な無線ＬＡＮ通信を行うことができる無線ＬＡＮエリア２を算出する。
【００１７】
予め定められた通信品質は、例えば、通信装置１０が出力する電波の電界強度、通信端末３０におけるスループット、通信端末３０におけるデータロス率、もしくは通信端末３０が受信する信号の受信電力等であってもよい。無線ＬＡＮエリア１は、通信装置１０が形成する通信可能エリアよりも小さいエリアである。同様に、無線ＬＡＮエリア２は、中継装置２０が形成する通信可能エリアよりも小さいエリアである。エリア算出部１１は、例えば、通信装置１０が送信する信号の送信電力、アンテナの角度、もしくは通信装置１０が出力する電波の電界強度等の値を用いて、無線ＬＡＮエリア１を算出してもよい。無線ＬＡＮエリア１は、円形もしくは楕円形で示されてもよく、その他の形を用いて示されてもよい。
【００１８】
中継装置２０は、通信装置１０が形成する通信可能エリア内に位置する。つまり、中継装置２０は、通信装置１０と無線ＬＡＮ通信を行うことができる。また、中継装置２０は、無線ＬＡＮエリア１内に位置してもよい。
【００１９】
位置情報取得部１２は、通信端末３０の位置情報を取得する。通信端末３０の位置情報を取得するには、ＧＰＳ（Global Positioning System）、ＧＬＯＮＡＳＳ（Global Navigation Satellite System）、及びＧａｌｉｌｅｏ等の衛星測位システムが用いられてもよい。また、通信端末３０の位置情報を取得するには、屋内ＧＰＳ送信機を用いたＩＭＥＳ（Indoor Messaging System）が用いられてもよい。また、通信端末３０の位置情報を取得するには、ＳｉＲＦｕｓｉｏｎ等の無線通信技術を活用した屋内測位技術が用いられてもよい。また、通信端末３０の位置情報を取得するには、ＲＦＩＤ（Radio Frequecy Identifier）、ＢＬＥ（Bluetooth（登録商標） Low Energy）、超音波等が用いられてもよい。
【００２０】
位置情報取得部１２は、定期的に通信端末３０の位置情報を取得してもよく、任意のタイミングに通信端末３０に対して位置情報の送信を要求してもよい。
【００２１】
無線制御部１３は、通信端末３０が無線ＬＡＮエリア１外であって、無線ＬＡＮエリア２内に位置する場合に、通信端末３０との無線ＬＡＮ接続を切断する。無線ＬＡＮ接続とは、例えば、通信端末３０と通信装置１０とが無線ＬＡＮ通信を行うことができる状況であるとする。また、通信端末３０は、無線ＬＡＮエリア１外であるが、通信装置１０が形成する通信可能エリア内に位置するとする。通信端末３０がこのような位置に存在する場合、通信端末３０と中継装置２０との間の通信における通信品質のほうが、通信端末３０と通信装置１０との間の通信品質における通信品質よりも高いと想定される。
【００２２】
通信装置１０が、通信端末３０との無線ＬＡＮ接続を切断した場合、通信端末３０は、周囲の通信装置及び中継装置等を探索する。例えば、通信端末３０は、最も電波の電界強度が大きい通信装置もしくは中継装置と無線ＬＡＮ接続を行う。
【００２３】
通信装置１０が通信端末３０との無線ＬＡＮ接続を切断してもよい。もしくは、通信装置１０は、無線ＬＡＮ接続を切断することを指示するメッセージを通信端末３０へ送信し、通信端末３０において無線ＬＡＮ接続を切断させてもよい。
【００２４】
以上説明したように、通信装置１０は、通信端末３０の存在する位置に応じて、通信端末３０との無線ＬＡＮ接続を切断することができる。これにより、通信端末３０が、通信装置１０との無線ＬＡＮ通信における通信品質よりも中継装置２０との無線ＬＡＮ通信における通信品質のほうが高いと想定される場合に、通信端末３０に対して他の通信装置もしくは中継装置２０へ切り替えることを促すことができる。その結果、通信端末３０は、通信品質の高い無線ＬＡＮ通信を行うことができる。
【００２５】
また、通信端末３０は、無線ＬＡＮ通信の通信先となる装置を切り替える際に、位置情報を通信装置１０へ送信するのみであり、複雑な判定処理等を実施することはない。そのため、通信装置１０と比較して処理能力の劣る通信端末３０は、処理負荷を増加させることなく、無線ＬＡＮ通信品質が高くなる通信装置１０もしくは中継装置２０と無線ＬＡＮ通信を行うことができる。
【００２６】
（実施の形態２）
続いて、図２を用いて本発明の実施の形態２にかかる通信エリアの構成について説明する。図２は、アクセスポイント（ＡＰ）４０が、強電界エリア３及び通信可能エリア５を形成し、中継装置２０が、強電界エリア４及び通信可能エリア６を形成することを示している。強電界エリア３は、通信可能エリア５に含まれ、強電界エリア４は、通信可能エリア６に含まれる。アクセスポイント４０は、図１の通信装置１０に相当する。中継装置２０は、図１の中継装置２０と同様である。
【００２７】
また、スマートフォン５０は、図１の通信端末３０に相当する。スマートフォン５０は、アクセスポイント４０及び中継装置２０と無線ＬＡＮ通信を行う際に、子機として動作する。アクセスポイント４０は、スマートフォン５０及び中継装置２０と無線ＬＡＮ通信を行う際に、親機として動作する。中継装置２０は、アクセスポイント４０と無線ＬＡＮ通信を行う際に、子機として動作する。
【００２８】
強電界エリア３は、アクセスポイント４０の電波の電界強度が、予め定められた電界強度よりも強いエリアである。つまり、強電界エリア３内に存在するスマートフォン５０は、強電界エリア３外であって、通信可能エリア５内のエリアにおいてアクセスポイント４０と無線ＬＡＮ通信するよりも高品質な無線ＬＡＮ通信を行うことができる。予め定められた電界強度は、例えば、所望の通信品質を満たすことができる電界強度として定められた値であってもよい。
【００２９】
強電界エリア４は、中継装置２０の電波の電界強度が、予め定められた電界強度よりも強いエリアである。つまり、強電界エリア４内に存在するスマートフォン５０は、強電界エリア４外であって、通信可能エリア６内のエリアにおいて中継装置２０と無線ＬＡＮ通信するよりも高品質な無線ＬＡＮ通信を行うことができる。
【００３０】
スマートフォン５０を保持するユーザの移動に伴ってスマートフォン５０も移動する。そのため、スマートフォン５０は、強電界エリア３及び強電界エリア４の間を移動することができる。
【００３１】
実施の形態２においては、スマートフォン５０がアクセスポイント４０と無線ＬＡＮ通信中に、強電界エリア３外であって、強電界エリア４内及び通信可能エリア５内へ移動した際に、アクセスポイント４０とスマートフォン５０との無線ＬＡＮ接続が切断される。一般的に、スマートフォン５０が、通信可能エリア５外へ移動した際に、アクセスポイント４０とスマートフォン５０との無線ＬＡＮ接続は切断される。実施の形態２においては、スマートフォン５０が通信可能エリア５内に存在する場合であっても、スマートフォン５０が、強電界エリア４内に存在する場合には、アクセスポイント４０とスマートフォン５０との無線ＬＡＮ接続は切断される。その結果、スマートフォン５０は、アクセスポイント４０との無線ＬＡＮ接続が切断された後に、電界強度の高い電波を出力する中継装置２０と接続することができる。
【００３２】
続いて、図３を用いて本発明の実施の形態２にかかるアクセスポイント４０の構成例について説明する。アクセスポイント４０は、位置情報取得部４１、強電界範囲解析部４２、位置情報解析部４３、及び無線制御部４４を有している。
【００３３】
位置情報取得部４１は、図１の位置情報取得部１２に相当する。強電界範囲解析部４２は、図１のエリア算出部１１に相当する。無線制御部４４は、図１の無線制御部１３に相当する。ここでは、アクセスポイント４０の各構成要素について、図１との差異点を主に説明する。
【００３４】
強電界範囲解析部４２は、強電界エリア３のエリアを推定する。強電界範囲解析部４２は、位置情報取得部４１において取得されたアクセスポイント４０の位置情報を用いて、強電界エリア３を推定する。例えば、位置情報取得部４１は、アクセスポイント４０が存在する位置を中心に半径Ａ（Ａ≧０）メートルのエリアを強電界エリア３と推定してもよい。さらに、強電界範囲解析部４２は、アクセスポイント４０が送信する信号の送信電力及びアンテナの角度等を用いて強電界エリア３のエリアを推定してもよい。もしくは、強電界範囲解析部４２は、通信可能エリア５内に存在するスマートフォン５０を含む複数の通信端末から、電界強度に関する情報を収集してもよい。この場合、強電界範囲解析部４２は、予め定めれた閾値を超える電界強度に関する情報を送信してきた通信端末を含むように、強電界エリア３のエリアを推定してもよい。
【００３５】
さらに、強電界範囲解析部４２は、強電界エリア４のエリアも推定する。強電界範囲解析部４２は、位置情報取得部４１において取得された中継装置２０の位置に基づいて、強電界エリア４を推定する。例えば、位置情報取得部４１は、中継装置２０が存在する位置を中心に半径Ａ（Ａ≧０）メートルのエリアを強電界エリア４と推定してもよい。もしくは、強電界範囲解析部４２は、中継装置２０から位置情報とともに中継装置２０が送信する信号の送信電力及びアンテナの角度等に関する情報を取得している場合、取得した情報を用いて強電界エリア４のエリアを推定してもよい。もしくは、強電界範囲解析部４２は、中継装置２０において推定された強電界エリア４のエリアに関する情報を中継装置２０から取得してもよい。
【００３６】
アクセスポイント４０は、通信可能エリア５内に存在する複数の通信端末に対して、定期的にビーコン（Beacon）と称される信号を送信している。ビーコンには、アクセスポイント４０の識別情報であるＳＳＩＤ及び使用する無線チャネルに関する情報等が含まれている。位置情報取得部４１は、ビーコンに位置情報の送信を要求する情報を追加もしくは設定する。通信可能エリア５内に存在する通信端末は、位置情報の送信を要求する情報が追加されたビーコンを受信すると、自装置の位置情報を設定したメッセージをアクセスポイント４０へ送信する。位置情報取得部４１は、ビーコンの応答として位置情報が設定されたメッセージを受信すると、受信した位置情報を強電界範囲解析部４２及び位置情報解析部４３へ出力する。
【００３７】
位置情報解析部４３は、位置情報取得部４１から出力された位置情報が、強電界エリア３内を示すか、さらには、強電界エリア４内を示すかを解析する、もしくは判定する。位置情報解析部４３は、解析結果もしくは判定結果（以下、判定結果等と称する）を無線制御部４４へ出力する。
【００３８】
無線制御部４４は、位置情報解析部４３から出力された判定結果等に応じて、例えば、スマートフォン５０との無線ＬＡＮ接続を切断するか継続するかを判定する。無線制御部４４は、スマートフォン５０が、強電界エリア３外かつ強電界エリア４内に存在する場合、スマートフォン５０との無線ＬＡＮ接続を切断する。無線制御部４４は、スマートフォン５０が、強電界エリア３内に存在する場合、スマートフォン５０が強電界エリア４内に存在するか否かにかかわらずスマートフォン５０との無線ＬＡＮ接続を継続する。無線制御部４４は、スマートフォン５０が強電界エリア３外かつ強電界エリア４外に存在する場合、スマートフォン５０との無線ＬＡＮ接続を切断してもよく、継続してもよい。
【００３９】
続いて、図４を用いて本発明の実施の形態２にかかる中継装置２０の構成例について説明する。中継装置２０は、位置情報取得部２１及び無線制御部２２を有している。位置情報取得部２１及び無線制御部２２は、プロセッサがメモリに格納されたプログラムを実行することによって処理が実行されるソフトウェアもしくはモジュールであってもよい。または、位置情報取得部２１及び無線制御部２２は、回路もしくはチップ等のハードウェアであってもよい。
【００４０】
位置情報取得部２１は、中継装置２０に関する位置情報を取得する。無線制御部２２は、アクセスポイント４０から位置情報の送信を要求する情報が追加されたビーコンを受信すると、位置情報を設定した応答メッセージをアクセスポイント４０へ送信する。位置情報は、位置情報取得部２１において取得された情報である。また、無線制御部２２は、中継装置２０が送信する信号の送信電力もしくは中継装置２０のアンテナの角度等の、アクセスポイント４０において強電界エリア４を推定するために必要な情報をアクセスポイント４０へ送信してもよい。
【００４１】
続いて、図５を用いて本発明の実施の形態２にかかるスマートフォン５０の構成例について説明する。スマートフォン５０は、位置情報取得部５１及び無線制御部５２を有している。位置情報取得部５１及び無線制御部５２は、プロセッサがメモリに格納されたプログラムを実行することによって処理が実行されるソフトウェアもしくはモジュールであってもよい。または、位置情報取得部５１及び無線制御部５２は、回路もしくはチップ等のハードウェアであってもよい。
【００４２】
位置情報取得部５１は、スマートフォン５０に関する位置情報を取得する。無線制御部５２は、アクセスポイント４０から位置情報の送信を要求する情報が追加されたビーコンを受信すると、位置情報取得部５１において取得されたスマートフォン５０の位置情報を設定した応答メッセージをアクセスポイント４０へ送信する。
【００４３】
続いて、図６を用いて本発明の実施の形態２にかかる強電界エリア算出処理の流れについて説明する。はじめに、アクセスポイント４０の位置情報取得部４１は、アクセスポイント４０の位置情報を取得する（Ｓ１１）。例えば、位置情報取得部４１は、ＧＰＳを用いてアクセスポイント４０の位置情報を取得してもよい。次に、強電界範囲解析部４２は、強電界エリア３を算出する（Ｓ１２）。例えば、強電界範囲解析部４２は、ステップＳ１１において取得されたアクセスポイント４０の位置を中心として半径Ａメートル内のエリアを強電界エリアとして定めてもよい。強電界範囲解析部４２は、強電界エリアの半径を算出する際に、アクセスポイント４０が送信する信号の送信電力もしくはアンテナの角度等を参照してもよい。
【００４４】
次に、中継装置２０の位置情報取得部２１は、中継装置２０の位置情報を取得する（Ｓ１３）。例えば、位置情報取得部２１は、ＧＰＳを用いて中継装置２０の位置情報を取得してもよい。ここで、位置情報取得部２１が中継装置２０の位置情報を取得するタイミングは、任意に定められてもよい。例えば、位置情報取得部２１は、ステップＳ１１においてアクセスポイント４０の位置情報取得部４１がアクセスポイント４０の位置情報を取得するタイミングと同期して、中継装置２０の位置情報を取得してもよい。もしくは、位置情報取得部２１は、アクセスポイント４０の位置情報取得部４１が位置情報を取得するタイミングとは独立して、任意のタイミングに中継装置２０の位置情報を取得してもよい。
【００４５】
次に、アクセスポイント４０は、通信可能エリア５内に位置するスマートフォン５０及び中継装置２０等へ、ビーコンを送信する（Ｓ１４）。位置情報取得部４１は、ビーコンに位置情報の送信を要求する情報を設定する。次に、中継装置２０は、位置情報の送信を要求する情報が設定されたビーコンを受信すると、位置情報取得部２１において取得された中継装置２０の位置情報をアクセスポイント４０へ送信する（Ｓ１５）。
【００４６】
次に、強電界範囲解析部４２は、ステップＳ１５において受信した中継装置２０の位置情報を用いて、強電界エリア４を算出する（Ｓ１６）。例えば、強電界範囲解析部４２は、中継装置２０の位置を中心として半径Ａメートル内のエリアを強電界エリアとして定めてもよい。強電界範囲解析部４２は、強電界エリアの半径を算出する際に、中継装置２０が送信する信号の送信電力もしくは中継装置２０のアンテナの角度等を参照してもよい。
【００４７】
続いて、図７を用いて本発明の実施の形態２にかかる位置情報の解析処理の流れについて説明する。はじめに、アクセスポイント４０は、位置情報の送信を要求する情報が設定されたビーコンをスマートフォン５０へ送信する（Ｓ２１）。次に、スマートフォン５０の位置情報取得部５１は、スマートフォン５０の位置情報を取得する（Ｓ２２）。例えば、位置情報取得部５１は、ＧＰＳを用いて位置情報を取得してもよい。また、位置情報取得部５１は、位置情報の送信を要求する情報が設定されたビーコンを受信したことを契機に、スマートフォン５０の位置情報を取得してもよく、ビーコンを受信する前に、スマートフォン５０の位置情報を取得していてもよい。
【００４８】
次に、無線制御部５２は、スマートフォン５０の位置情報をアクセスポイント４０へ送信する（Ｓ２３）。次に、位置情報解析部４３は、ステップＳ２３において受信したスマートフォン５０の位置情報を解析し、スマートフォン５０が強電界エリア３内に存在するか、さらに、強電界エリア４内に存在するかを判定する（Ｓ２４）。
【００４９】
位置情報解析部４３は、スマートフォン５０が強電界エリア３内に存在すると判定した場合、ステップＳ２５以降において、ステップＳ２１〜Ｓ２３と同様の処理を実行する。
【００５０】
続いて、図８を用いて本発明の実施の形態２にかかる位置情報の解析処理の流れについて説明する。ステップＳ３１〜Ｓ３３は、図７のステップＳ２１〜Ｓ２３と同様であるため詳細な説明を省略する。
【００５１】
位置情報解析部４３は、ステップＳ３３において受信したスマートフォン５０の位置情報を解析し、スマートフォン５０が強電界エリア３内に存在するか、さらに、強電界エリア４内に存在するかを判定する（Ｓ３４）。
【００５２】
位置情報解析部４３が、スマートフォン５０が強電界エリア３外かつ強電界エリア４内に存在すると判定した場合、無線制御部４４は、スマートフォン５０へ無線ＬＡＮ接続を切断することを示すメッセージをスマートフォン５０へ送信する（Ｓ３５）。無線制御部４４は、ステップＳ３５においてメッセージを送信した後にスマートフォン５０との無線ＬＡＮ接続を切断してもよい。もしくは、ステップＳ３５において送信されたメッセージを受信したスマートフォン５０が、アクセスポイント４０との間の無線ＬＡＮ接続を切断してもよい。
【００５３】
次に、スマートフォン５０は、アクセスポイント４０との間の無線ＬＡＮ接続が切断されると、周囲に存在するアクセスポイントもしくは中継装置と無線ＬＡＮ接続を行う（Ｓ３６）。具体的には、スマートフォン５０は、現在、強電界エリア３外かつ強電界エリア４内に存在する。そのため、スマートフォン５０は、アクセスポイント４０よりも中継装置２０の電界強度が高いことを検出する。これより、スマートフォン５０は、中継装置２０と無線ＬＡＮ接続を行うことになる。
【００５４】
以上説明したように、本発明の実施の形態２にかかるアクセスポイント４０は、スマートフォン５０との間の距離が離れ、スマートフォン５０が、中継装置２０等の他の装置に近づいた場合、スマートフォン５０との無線ＬＡＮ接続を切断することができる。これによって、アクセスポイント４０は、スマートフォン５０に対して、他のアクセスポイントもしくは中継装置と接続することを促すことができる。
【００５５】
これより、スマートフォン５０は、移動後に、現在接続中のアクセスポイント４０との距離が離れ、高品質な無線ＬＡＮ通信を維持できない場合に、他のアクセスポイントもしくは中継装置へ無線ＬＡＮ接続することができるため、高品質な無線ＬＡＮ通信を継続することができる。
【００５６】
（実施の形態３）
続いて、実施の形態３にかかる中継装置２０及びスマートフォン５０の構成例について説明する。
【００５７】
実施の形態１及び２においては、通信装置１０もしくはアクセスポイント４０が、強電界エリアの算出及びスマートフォン５０の位置情報解析を行っていた。これに対して、実施の形態３においては、中継装置２０が、強電界エリアの算出及びスマートフォン５０の位置情報解析を行うことについて説明する。具体的には、中継装置２０が、アクセスポイント４０と同様の構成を有してもよい。中継装置２０が、強電界エリアの算出及びスマートフォン５０の位置情報解析を行うことによって、スマートフォン５０が強電界エリア４外であって強電界エリア３内へ移動した場合に、中継装置２０は、スマートフォン５０との無線ＬＡＮ接続を切断することができる。これより、スマートフォン５０は、強電界エリア４内から強電界エリア３内へ移動した場合に、中継装置２０との無線ＬＡＮ接続が切断され、アクセスポイント４０と無線ＬＡＮ接続を行うことができる。
【００５８】
また、スマートフォン５０が、アクセスポイント４０の位置情報解析部４３及び無線制御部４４を有し、位置情報解析を行ってもよい。例えば、スマートフォン５０は、アクセスポイント４０において算出された強電界エリア３及び強電界エリア４に関する情報を取得する。さらに、スマートフォン５０は、自装置が、強電界エリア３内に存在するか、さらに、強電界エリア４内に存在するかを解析する。スマートフォン５０は、自装置が、強電界エリア３外かつ強電界エリア４内に存在する場合、アクセスポイント４０との無線ＬＡＮ接続を切断、もしくは、アクセスポイント４０へ無線ＬＡＮ接続を切断することを要求するメッセージを送信してもよい。また、スマートフォン５０が、アクセスポイント４０の強電界範囲解析部４２を有し、強電界エリア３及び強電界エリア４を算出してもよい。
【００５９】
以上説明したように、中継装置２０が強電界エリアの算出及びスマートフォン５０の位置情報解析を行うことによって、スマートフォン５０が強電界エリア４内から強電界エリア３内へ移動した場合に、中継装置２０は、スマートフォン５０との無線ＬＡＮ接続を切断することができる。これより、アクセスポイント４０及び中継装置２０が、ともに、強電界エリアの算出及びスマートフォン５０の位置情報解析を行うことによって、スマートフォン５０が強電界エリア３内から強電界エリア４内へ移動した場合、さらに、強電界エリア４内から強電界エリア３内へ移動した場合に、スマートフォン５０が、高品質な無線ＬＡＮ通信を継続することができる。
【００６０】
また、スマートフォン５０が、スマートフォン５０の位置情報解析を行うことによっても、強電界エリア３内から強電界エリア４内へ移動した場合、さらに、強電界エリア４内から強電界エリア３内へ移動した場合に、高品質な無線ＬＡＮ通信を継続することができる。
【００６１】
上述の実施の形態では、本発明をハードウェアの構成として説明したが、本発明は、これに限定されるものではない。本発明は、アクセスポイント４０、中継装置２０、及びスマートフォン５０における処理を、ＣＰＵ（Central Processing Unit）にコンピュータプログラムを実行させることにより実現することも可能である。
【００６２】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６３】
なお、本発明は上記実施の形態に限られたものではなく、趣旨を逸脱しない範囲で適宜変更することが可能である。
【符号の説明】
【００６４】
１  無線ＬＡＮエリア
２  無線ＬＡＮエリア
３  強電界エリア
４  強電界エリア
５  通信可能エリア
６  通信可能エリア
１０  通信装置
１１  エリア算出部
１２  位置情報取得部
１３  無線制御部
２０  中継装置
２１  位置情報取得部
２２  無線制御部
３０  通信端末
４０  アクセスポイント
４１  位置情報取得部
４２  強電界範囲解析部
４３  位置情報解析部
４４  無線制御部
５０  スマートフォン
５１  位置情報取得部
５２  無線制御部
【図１】
0006358665.tif 000002
【図２】
0006358665.tif 000003
【図３】
0006358665.tif 000004
【図４】
0006358665.tif 000005
【図５】
0006358665.tif 000006
【図６】
0006358665.tif 000007
【図７】
0006358665.tif 000008
【図８】
0006358665.tif 000009